(57)【要約】【課題】  少ない消費電力で効率良く振動モータの振動を外部に伝えることができる電子機器を提供する。【解決手段】  腕時計ケース１と、この腕時計ケース１内に組み込まれるモータケース６と、このモータケース６内に固定された振動モータ５と、モータケース６を腕時計ケース１の一部である裏蓋３に固定し、振動モータ５で発生した振動を腕時計ケース６の外部に伝える振動伝達締結部材７とを備えている。従って、振動モータ５で発生した振動によってモータケース６を振動させることができ、このモータケース６の振動を振動伝達締結部材７で裏蓋３の外部に伝えることができる。このため、振動モータ５で裏蓋３を振動させる必要がないので、少ない消費電力で振動モータ５を振動させて、効率良く振動モータ５の振動を外部に伝えることができる。【選択図】        図４
2014173959.tif 000002
【特許請求の範囲】
【請求項１】
機器ケースと、
この機器ケース内に組み込まれるモータケースと、
このモータケース内に固定された振動モータと、
前記モータケースを前記機器ケースの一部に固定し、前記振動モータで発生した振動を前記機器ケースの外部に伝える振動伝達締結部材と
を備えていることを特徴とする電子機器。
【請求項２】
請求項１に記載の電子機器において、前記振動伝達締結部材は、前記機器ケースの前記一部に設けられた貫通孔および前記モータケースに設けられた取付部の取付孔に挿入し、前記機器ケースの外部に突出するビス部材と、このビス部材に取り付けられ、前記機器ケースの前記一部に前記モータケースの前記取付部を固定する抜止め部材とを備えていることを特徴とする電子機器。
【請求項３】
請求項１または請求項２に記載の電子機器において、前記振動モータを前記モータケースの内面に密着させて固定する接着固定部材を備えていることを特徴とする電子機器。
【請求項４】
請求項１〜請求項３のいずれかに記載の電子機器において、前記振動モータを前記モータケース内に押し付ける押え板を備えていることを特徴とする電子機器。
【請求項５】
請求項４に記載の電子機器において、前記振動モータと前記押え板との間には、弾性部材が配置されていることを特徴とする電子機器。
【請求項６】
請求項１〜請求項５のいずれかに記載の電子機器において、前記モータケースと前記機器ケースとの間には、緩衝部材が配置されていることを特徴とする電子機器。
【請求項７】
請求項１〜請求項６のいずれかに記載の電子機器において、前記振動伝達締結部材には、防水リングが設けられていることを特徴とする電子機器。
【発明の詳細な説明】
【技術分野】
【０００１】
この発明は、腕時計や携帯電話機などの振動報知機能を備えた電子機器に関する。
【背景技術】
【０００２】
例えば、腕時計においては、特許文献１に記載されているように、腕時計ケースの裏蓋に振動モータを取り付け、この振動モータで発生した振動が裏蓋を介して腕などに伝達されるように構成されたものが知られている。
【先行技術文献】
【特許文献】
【０００３】
【特許文献１】特開平１１−１４２５４０号公報
【発明の概要】
【発明が解決しようとする課題】
【０００４】
しかしながら、このような腕時計では、振動モータで発生した振動を腕などに伝えるために、振動モータで裏蓋を振動させる必要がある。このため、振動モータに大きな電流を流して、振動モータを強力に振動させなければならないため、消費電力が多くなり、電池の消耗が激しく、電池交換の頻度が多くなるという問題がある。
【０００５】
この発明が解決しようとする課題は、少ない消費電力で効率良く振動モータの振動を外部に伝えることができる電子機器を提供することである。
【課題を解決するための手段】
【０００６】
この発明は、機器ケースと、この機器ケース内に組み込まれるモータケースと、このモータケース内に固定された振動モータと、前記モータケースを前記機器ケースの一部に固定し、前記振動モータで発生した振動を前記機器ケースの外部に伝える振動伝達締結部材とを備えていることを特徴とする電子機器である。
【発明の効果】
【０００７】
この発明によれば、振動モータで発生した振動によってモータケースを振動させることができ、このモータケースの振動を振動伝達締結部材で機器ケースの外部に伝えることができる。このため、振動モータによって機器ケースの一部または全部を振動させる必要がないので、少ない消費電力で振動モータを振動させて、効率良く振動モータの振動を外部に伝えることができる。
【図面の簡単な説明】
【０００８】
【図１】この発明を腕時計に適用した一実施形態を示した拡大断面図である。
【図２】図１に示された腕時計において裏蓋の内面側を示した要部の拡大斜視図である。
【図３】図２に示された腕時計の裏蓋の要部を示した拡大平面図である。
【図４】図３に示された裏蓋のＡ−Ａ矢視における要部の拡大断面図である。
【図５】図２に示された腕時計の裏蓋を上下反転させて示した要部の拡大斜視図である。
【図６】図２に示された裏蓋、これに組み付けられたモータケース、振動モータ、押え板、および振動伝達締結部材を示し、（ａ）は裏蓋を示した要部の拡大斜視図、（ｂ）はモータケースを示した拡大斜視図、（ｃ）は振動モータを示した拡大斜視図、（ｄ）は押え板を示した拡大斜視図、（ｅ）は振動伝達締結部材のビス部材および抜止め部材を示した拡大斜視図である。
【図７】図４に示された裏蓋に対するモータケースの取付構造の変形例を示した要部の拡大断面図である。
【発明を実施するための形態】
【０００９】
以下、図１〜図６を参照して、この発明を腕時計に適用した一実施形態について説明する。
この腕時計は、図１に示すように、腕時計ケース１を備えている。この腕時計ケース１の上側開口部には、時計ガラス２がパッキン２ａを介して取り付けられている。この腕時計ケース１の下部には、裏蓋３が防水リング３ａを介して取り付けられている。
【００１０】
また、この腕時計ケース１の内部には、図１に示すように、時計モジュール４が設けられている。この時計モジュール４は、時計機能に必要な各種の部品（図示せず）を備えているほか、報知機能としての振動発生部Ｒを備えている。この振動発生部Ｒは、図２〜図６に示すように、振動を発生する振動モータ５と、この振動モータ５が取り付けられるモータケース６とを備えている。
【００１１】
振動モータ５は、図６（ｃ）に示すように、モータ部５ａ、一対の偏心回転部５ｂ、および回路部５ｃを有し、モータ部５ａが一対の偏心回転部５ｂを偏心回転させることにより、振動を発生するように構成されている。この振動モータ５は、図２〜図４に示すように、腕時計ケース１内に組み込まれるモータケース６に取り付けられるように構成されている。
【００１２】
モータケース６は、図２〜図４、および図６（ｂ）に示すように、上部および両側が開放された箱状に形成され、その内部に振動モータ５のモータ部５ａが収納された状態で、腕時計ケース１の一部である裏蓋３の内面（図４では上面）に取り付けられるように構成されている。このモータケース６は、振動モータ５の軸方向（長手方向）に対して直交する方向（図３では上下方向）に位置する両側部の下部に、一対の取付部６ａがそれぞれモータケース６の外部側方に向けて突出して設けられている。
【００１３】
また、このモータケース６の一対の取付部６ａには、図４および図６（ｂ）に示すように、裏蓋３に設けられた一対の貫通孔３ａにそれぞれ対応する取付孔６ｂが上下に貫通して設けられている。さらに、このモータケース６は、合成樹脂または金属のいずれで形成されていても良いが、軽量化を図って振動効率を高めるために合成樹脂で形成されていることが望ましい。
【００１４】
この場合、振動モータ５は、図２〜図４に示すように、モータケース６の両側に振動モータ５の一対の偏心回転部５ｂを突出させた状態で、モータ部５ａがモータケース６の内面に両面粘着テープまたは接着剤などの接着固定部材８によって密着して固定されている。また、この振動モータ５は、押え板９によってモータ部５ａがモータケース６内に押し付けられるように構成されている。
【００１５】
この押え板９は、ステンレスなどの金属板からなり、図２〜図４、および図６（ｄ）に示すように、モータケース６の上部に配置される押え部１０と、この押え部１０の両側に設けられた一対の脚部１１とを有している。この場合、押え部１０には、振動モータ５の回路部５ｃが挿入する開口部１０ａが設けられている。
【００１６】
また、一対の脚部１１は、図２〜図４、および図６（ｄ）に示すように、モータケース６の長手方向と直交する両側の外面に沿って垂下され、その各下端部がモータケース６の外側に向けて折り曲げられ、この折り曲げられた折曲部１１ａがモータケース６の取付部６ａ上に配置された状態で、後述する振動伝達締結部材７によってモータケース６の取付部６ａと共に裏蓋３に取り付けられるように構成されている
【００１７】
すなわち、この押え板９は、図２〜図４、および図６（ｄ）に示すように、振動モータ５のモータ部５ａがモータケース６内に配置された状態で、押え部１０がモータケース６の上部に配置された際に、振動モータ５の回路部５ｃが押え部１０の開口部１０ａ内に挿入されると共に、一対の脚部１１の各折曲部１１ａがモータケース６の各取付部６ａ上に配置され、この状態で各折曲部１１ａが振動伝達締結部材７によってモータケース６の各取付部６ａと共に裏蓋３に取り付けられるように構成されている。
【００１８】
この場合、押え板９の押え部１０と振動モータ５のモータ部５ａとの間には、図４に示すように、弾性部材１２が配置されている。これにより、振動モータ５は、押え板９が振動伝達締結部材７によってモータケース６と共に裏蓋３に取り付けられた際に、弾性部材１２を介して押え部１０がモータ部５ａをモータケース６内に押し付けることにより、モータ部５ａが弾性部材１２の弾性力によってモータケース６内に押し付けられて固定されるように構成されている。
【００１９】
ところで、裏蓋３の１２時側（図６（ａ）では右上側）に位置する個所には、図６（ａ）に示すように、一対の貫通孔３ａがそれぞれ上下に貫通して設けられていると共に、一対の凹部３ｂがそれぞれ設けられている。一対の貫通孔３ａは、図４に示すように、モータケース６の一対の取付部６ａにそれぞれ設けられた各取付孔６ｂに対応して設けられている。
【００２０】
また、一対の凹部３ｂは、図２および図６（ａ）に示すように、モータケース６の両側に突出した振動モータ５の一対の偏心回転部５ｂに対応して設けられている。これにより、振動モータ５は、一対の偏心回転部５ｂがモータ部５ａによって偏心回転する際に、一対の偏心回転部５ｂがこれに対応する一対の凹部３ｂによって裏蓋３の内面に接触しないように構成されている。
【００２１】
一方、振動伝達締結部材７は、図４、図５および図６（ｅ）に示すように、裏蓋３の裏面側から裏蓋３の貫通孔３ａを通り、モータケース６の取付部６ａの取付孔６ｂに挿入して上方に突出するビス部材１３と、このビス部材１３に取り付けられて、モータケース６の取付部６ａを裏蓋３に取り付ける抜止め部材１４とを備えている。
【００２２】
ビス部材１３は、図４、図５および図６（ｅ）に示すように、裏蓋３の貫通孔３ａ、モータケース６の取付部６ａの取付孔６ｂ、および押え板９の脚部１１の折曲部１１ａに設けられた挿入孔１１ｂに順次裏面側から挿入する軸部１３ａと、裏蓋３の裏面（図５では上面）に当接する頭部１３ｂとを有している。この場合、ビス部材１３は、軸部１３ａが裏蓋３の貫通孔３ａ、モータケース６の取付部６ａの取付孔６ｂ、および押え板９の脚部１１の折曲部１１ａに設けられた挿入孔１１ｂのすべてを重ね合わせた長さよりも長く形成されている。
【００２３】
これにより、ビス部材１３は、軸部１３ａが、裏蓋３の貫通孔３ａ、モータケース６の取付部６ａの取付孔６ｂ、および押え板９の脚部１１の折曲部１１ａに設けられた挿入孔１１ｂに挿入されて、頭部１３ｂが裏蓋３の裏面に当接した際に、軸部１３ａの上端部が押え板９の脚部１１における折曲部１１ａの上方に突出するように構成されている。この軸部１３ａの上端部には、抜止め部材１４が取り付けられる取付溝１３ｃが環状に設けられている。
【００２４】
抜止め部材１４は、図４および図６（ｅ）に示すように、Ｅリングなどの抜止めリングであり、ビス部材１３の軸部１３ａが裏蓋３の貫通孔３ａ、モータケース６の取付部６ａの取付孔６ｂ、および押え板９の脚部１１の折曲部１１ａに設けられた挿入孔１１ｂに順次挿入されて、軸部１３ａの上端部が押え板９の脚部１１における折曲部１１ａの上方に突出した際に、この突出した上端部の取付溝１３ｃに装着されることにより、ビス部材１３が裏蓋３の裏面側に抜け出さないように構成されている。
【００２５】
これにより、振動伝達締結部材７は、図４に示すように、押え板９の脚部１１における折曲部１１ａの上方に突出した軸部１３ａの上端部の取付溝１３ｃに抜止め部材１４が装着された際に、ビス部材１３の頭部１３ｂが裏蓋３の裏面に当接して、押え板９の脚部１１の折曲部１１ａをモータケース６の取付部６ａに押し付けると共に、モータケース６の取付部６ａを裏蓋３の内面に押し付けることにより、押え板９およびモータケース６を裏蓋３に取り付けて固定し、この状態で振動モータ５の振動を裏蓋３の裏面側の外部に伝えるように構成されている。
【００２６】
この場合、振動伝達締結部材７のビス部材１３には、図４および図６（ｅ）に示すように、複数の防水リング１５が軸方向に沿って取り付けられている。すなわち、ビス部材１３の軸部１３ａの外周面には、複数の環状溝１３ｄが軸方向に沿って所定間隔で設けられている。複数の防水リング１５は、それぞれゴムなどの弾性材料からなり、その各外周部が軸部１３ａの外周面から突出した状態で、軸部１３ａの各環状溝１３ｄにそれぞれ装着されている。
【００２７】
これにより、複数の防水リング１５は、図４に示すように、ビス部材１３の軸部１３ａが裏蓋３の貫通孔３ａおよびモータケース６の取付部６ａの取付孔６ｂに挿入された際に、裏蓋３の貫通孔３ａの内周面およびモータケース６の取付部６ａにおける取付孔６ｂの内周面にそれぞれ圧接して、裏蓋３の貫通孔３ａの防水、およびモータケース６の取付部６ａにおける取付孔６ｂの防水を図るように構成されている。
【００２８】
次に、このような腕時計の作用について説明する。
まず、裏蓋３に振動モータ５を取り付ける場合には、予め、振動モータのモータ部５ａをモータケース６内に取り付ける。このときには、振動モータ５の一対の偏心回転部５ｂをモータケース６の両側に突出させた状態で、モータ部５ａをモータケース６内に配置すると共に、このモータ部５ａをモータケース６の内面に両面粘着テープや接着剤などの接着固定部材８によって密着させて固定する。
【００２９】
この状態で、モータケース６に押え板９を配置する。このときには、押え板９の押え部１０をモータケース６の上部に対応させ、この状態で押え部１０と振動モータ５のモータ部５ａとの間に弾性部材１２を配置する。そして、押え部１０をモータケース６の上部に配置して、モータ部５ａの回路部５ｃを押え部１０の開口部１０ａに挿入すると共に、一対の脚部１１をモータケース６の両側の外面に沿って移動させて、一対の脚部１１の各折曲部１１ａをモータケース６の両側部に位置する各取付部６ａ上に配置させる。
【００３０】
この状態で、モータケース６を裏蓋３の内面に配置して、モータケース６の各取付部６ａの各取付孔６ｂを裏蓋３の一対の貫通孔３ａに対応させると共に、モータケース６の両側に突出した振動モータ５の一対の偏心回転部５ｂを裏蓋３の一対の凹部３ｂにそれぞれ対応させる。そして、振動伝達締結部材７のビス部材１３を、裏蓋３の裏面側から各貫通孔３ａ、モータケース６の各取付部６ａの各取付孔６ｂ、および押え板９の一対の脚部１１の各折曲部１１ａに設けられた各挿入孔１１ｂに順次下側から挿入させる。
【００３１】
このときには、予め、ビス部材１３の軸部１３ａに設けられた複数の環状溝１３ｄに複数の防水リング１５をそれぞれ装着させて、各防水リング１５の外周部を軸部１３ａの外周面から突出させる。この状態で、ビス部材１３の軸部１３ａを、裏蓋３の裏面側から各貫通孔３ａに挿入すると共に、モータケース６の各取付部６ａの各取付孔６ｂに挿入させ、かつ押え板９の一対の脚部１１の各折曲部１１ａに設けられた各挿入孔１１ｂに挿入させて、ビス部材１３の軸部１３ａを上方にて突出させる。
【００３２】
これにより、ビス部材１３の各防水リング１５が裏蓋３の貫通孔３ａの内周面およびモータケース６の取付部６ａの取付孔６ｂの内周面にそれぞれ圧接して、裏蓋３の貫通孔３ａの防水、およびモータケース６の取付部６ａにおける取付孔６ｂの防水が図られる。この状態で、ビス部材１３の頭部１３ｂを裏蓋３の裏面に当接させて、押え板９の一対の脚部１１の各折曲部１１ａの上方に突出したビス部材１３の軸部１３ａの上端部に位置する取付溝１３ｃに抜止め部材１４を取り付ける。
【００３３】
これにより、振動伝達締結部材７によって押え板９の脚部１１の折曲部１１ａがモータケース６の取付部６ａに押し付けられると共に、モータケース６の取付部６ａが裏蓋３の内面に押し付けられて、押え板９およびモータケース６が裏蓋３に取り付けられる。このときには、押え板９の押え部１０が振動モータ５のモータ部５ａをモータケース６内に押し付けると共に、押え部１０とモータ部５ａとの間に配置された弾性部材１２の弾性力によってモータ部５ａをモータケース６内に弾力的に押し付ける。
【００３４】
このようにして、振動モータ５が固定されたモータケース６が裏蓋３に取り付けられた腕時計ケース１を腕に取り付けて使用する場合には、裏蓋３の裏面およびこの裏蓋３の裏面から外部に突出したビス部材１３の頭部１３ｂが腕に接触する。この状態で、振動モータ５のモータ部５ａが回転すると、このモータ部５ａの回転によって一対の偏心回転部５ｂが偏心回転して振動を発生する。
【００３５】
すると、振動モータ５の振動によってモータケース６が振動し、このモータケース６の振動が振動伝達締結部材７のビス部材１３に伝達され、この伝達された振動によってビス部材１３が振動する。このときには、振動伝達締結部材７のビス部材１３に取り付けられた防水リング１５によって、ビス部材１３の振動が、裏蓋３に伝わり難く、裏蓋３の裏面側の外部に効率良く伝達される。これにより、裏蓋３の裏面に位置して腕に接触しているビス部材１３の頭部１３ｂが振動するので、このビス部材１３の頭部１３ｂの振動が腕に伝わることになる。
【００３６】
このように、この腕時計によれば、腕時計ケース１と、この腕時計ケース１内に組み込まれるモータケース６と、このモータケース６内に固定された振動モータ５と、モータケース６を腕時計ケース１の一部である裏蓋３に固定し、振動モータ５で発生した振動を腕時計ケース６の外部に伝える振動伝達締結部材７とを備えていることにより、少ない消費電力で振動モータ５を振動させて、効率良く振動モータ５の振動を外部に伝えることができる。
【００３７】
すなわち、この腕時計によれば、腕時計ケース１を腕に取り付けた状態で、振動モータ５が振動すると、この振動モータ５の振動によってモータケース６を振動させることができ、このモータケース６の振動を振動伝達締結部材７によって腕に伝えることができる。このため、腕時計ケース１の裏蓋３を振動させる必要がないので、少ない消費電力で振動モータ５を振動させて、モータケース６を確実にかつ良好に振動させることができ、これにより振動モータ５の振動を効率良く腕に伝えることができる。
【００３８】
また、この腕時計では、振動伝達締結部材７が、腕時計ケース１の裏蓋３に設けられた貫通孔３ａ、およびモータケース６に設けられた取付部６ａの取付孔６ｂに挿入するビス部材１３と、このビス部材１３に取り付けられて、腕時計ケース１の裏蓋３にモータケース６の取付部６ａを取り付ける抜止め部材１４とを備えていることにより、ビス部材１３と抜止め部材１４とでモータケース６を裏蓋３に確実にかつ良好に取り付けることができると共に、ビス部材１３によって振動モータ５で発生した振動を裏蓋３の外部に確実にかつ良好に伝達することができる。
【００３９】
この場合、振動伝達締結部材７の抜止め部材１４は、Ｅリングなどの抜止めリングであり、ビス部材１３の軸部１３ａに環状に設けられた取付溝１３ｃに装着されて、モータケース６を裏蓋３に取り付ける構成であることにより、振動モータ５の振動によってモータケース６および振動伝達締結部材７のビス部材１３が振動しても、抜止め部材１４が緩んで脱落することがないため、モータケース６を裏蓋３に確実にかつ良好に取り付けることができる。
【００４０】
また、この腕時計では、振動モータ５のモータ部５ａをモータケース６の内面に密着させて固定する接着固定部材８を備えているので、この接着固定部材８によって振動モータ５のモータ部５ａをモータケース６の内面に密着させた状態で、確実にかつ良好に固定することができ、これにより振動モータ５の振動をモータケース６に確実に伝達することができるので、モータケース６を振動モータ５の振動に応じて良好に振動させることができる。
【００４１】
また、この腕時計では、振動モータ５をモータケース６内に押し付ける押え板９を備えているので、この押え板９によって振動モータ５をモータケース６に確実に押え付けることができ、これによっても振動モータ５の振動をモータケース６に確実に伝達することができるので、モータケース６を振動モータ５の振動に応じて確実にかつ良好に振動させることができる。
【００４２】
この場合、押え板９は、モータケース６の上部に配置される押え部１０と、モータケース６の取付部６ａに取り付けられる一対の脚部１１とを備えているので、振動伝達締結部材７によってモータケース６を裏蓋３に取り付ける際に、この振動伝達締結部材７によって一対の脚部１１をモータケース６の取付部６ａと共に裏蓋３に取り付けることができ、これにより取付作業の効率化を図ることができると共に、部品点数の削減をも図ることができる。
【００４３】
さらに、この腕時計では、振動モータ５と押え板９との間に弾性部材１２が配置されているので、押え板９によって振動モータ５をモータケース６に押え付ける際に、弾性部材１２の弾性力によって振動モータ５をモータケース６に押え付けることができ、これにより振動モータ５をモータケース６の内面に良好に密着させることができるので、振動モータ５の振動をモータケース６に良好に伝達することができる。
【００４４】
また、この腕時計では、振動伝達締結部材７に防水リング１５が設けられているので、この防水リング１５によって裏蓋３の貫通孔３ａの防水、およびモータケース６の取付部６ａの取付孔６ｂの防水を図ることができると共に、モータケース６の振動によって振動伝達締結部材７が振動した際に、その振動が裏蓋３に伝わるのを防いで、振動伝達締結部材７によってモータケース６の振動を効率良く外部に伝えることができる。
【００４５】
すなわち、防水リング１５は、振動伝達締結部材７のビス部材１３を裏蓋３の貫通孔３ａおよびモータケース６の取付部６ａの取付孔６ｂに挿入した際に、裏蓋３の貫通孔３ａの内周面およびモータケース６の取付部６ａにおける取付孔６ｂの内周面にそれぞれ圧接するので、裏蓋３の貫通孔３ａの防水およびモータケース６の取付部６ａの取付孔６ｂの防水を確実にかつ良好に図ることができるほか、振動伝達締結部材７の振動を裏蓋３に伝え難くして効率良く外部に伝えることができる。
【００４６】
なお、上述した実施形態では、モータケース６を直接裏蓋３の内面に配置させて取り付けた場合について述べたが、これに限らず、例えば図７に示す変形例のように、モータケース６と裏蓋３との間に緩衝部材２０を配置して、モータケース６を裏蓋３の内面に取り付けるように構成しても良い。
【００４７】
このように構成すれば、緩衝部材２０を介してモータケース６を裏蓋３に取り付けた状態で、振動モータ５を振動させてモータケース６を振動させた際に、緩衝部材２０によってモータケース６の振動が裏蓋３に伝わらないように緩衝することができる。このため、振動モータ５の振動によってモータケース６のみを確実にかつ良好に振動させることができるので、上述した実施形態よりも、少ない消費電力で振動モータ５を振動させて、モータケース６を効率良く良好に振動させることができると共に、その振動を振動伝達締結部材７によって外部に良好に伝えることができる。
【００４８】
また、上述した実施形態では、振動伝達締結部材７のビス部材１３を腕時計ケース１の裏蓋３およびモータケース６の取付部６ａに取り付ける抜止め部材１４として、Ｅリングなどの抜止めリングを用いた場合について述べたが、これに限らず、例えば割りピンなどのピン部材を用いても良い。この場合には、モータケース６の取付部６ａの取付孔６ｂから突出するビス部材１３の軸部１３ａの先端部にピン挿入孔を設ければ良い。
【００４９】
また、これに限らず、ビス部材１３に取り付けられて、腕時計ケース１の裏蓋３にモータケース６の取付部６ａを取り付ける抜止め部材１４は、ダブルナットでも良い。この場合には、モータケース６の取付部６ａの取付孔６ｂから突出するビス部材１３の軸部１３ａの先端部にねじ部を設け、このねじ部に２つのナットを螺合させて互いに締め付けることにより、振動モータ５の振動によってダブルナットが緩まないように構成すれば良い。
【００５０】
また、上述した実施形態では、振動伝達締結部材７に複数の防水リング１５を設け、これら複数の防水リング１５を、裏蓋３の貫通孔３ａの内周面およびモータケース６の取付部６ａにおける取付孔６ｂの内周面にそれぞれ圧接させた構成である場合について述べたが、これに限らず、振動伝達締結部材７に設ける防水リング１５は、裏蓋３の貫通孔３ａの内周面に圧接する箇所だけに設けた構成であっても良い。
【００５１】
さらに、上述した実施形態では、押え板９を振動伝達締結部材７によってモータケース６と共に裏蓋３に取り付けた場合について述べたが、これに限らず、例えば押え板９を別部材でモータケース６に取り付けるように構成しても良く、また押え板９を別部材で裏蓋３に取り付けるように構成しても良い。
【００５２】
なおまた、上述した実施形態では、腕時計に適用した場合について述べたが、必ずしも腕時計である必要はなく、例えば懐中時計などの携帯型の時計にも適用することができるほか、必ずしも時計に限らず、携帯電話機などの携帯型の電子機器にも広く適用することができる。この場合には、携帯電話機などの電子機器の機器ケースの底部または側部にモータケース６を振動伝達締結部材７によって固定するように構成すれば良い。
【００５３】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００５４】
（付記）
請求項１に記載の発明は、機器ケースと、この機器ケース内に組み込まれるモータケースと、このモータケース内に固定された振動モータと、前記モータケースを前記機器ケースの一部に固定し、前記振動モータで発生した振動を前記機器ケースの外部に伝える振動伝達締結部材とを備えていることを特徴とする電子機器である。
【００５５】
請求項２に記載の発明は、請求項１に記載の電子機器において、前記振動伝達締結部材は、前記機器ケースの前記一部に設けられた貫通孔および前記モータケースに設けられた取付部の取付孔に挿入し、前記機器ケースの外部に突出するビス部材と、このビス部材に取り付けられ、前記機器ケースの前記一部に前記モータケースの前記取付部を固定する抜止め部材とを備えていることを特徴とする電子機器である。
【００５６】
請求項３に記載の発明は、請求項１または請求項２に記載の電子機器において、前記振動モータを前記モータケースの内面に密着させて固定する接着固定部材を備えていることを特徴とする電子機器である。
【００５７】
請求項４に記載の発明は、請求項１〜請求項３のいずれかに記載の電子機器において、前記振動モータを前記モータケース内に押し付ける押え板を備えていることを特徴とする電子機器である。
【００５８】
請求項５に記載の発明は、請求項４に記載の電子機器において、前記振動モータと前記押え板との間には、弾性部材が配置されていることを特徴とする電子機器である。
【００５９】
請求項６に記載の発明は、請求項１〜請求項５のいずれかに記載の電子機器において、前記モータケースと前記機器ケースとの間には、緩衝部材が配置されていることを特徴とする電子機器である。
【００６０】
請求項７に記載の発明は、請求項１〜請求項６のいずれかに記載の電子機器において、前記振動伝達締結部材には、防水リングが設けられていることを特徴とする電子機器である。
【符号の説明】
【００６１】
１  腕時計ケース
３  裏蓋
３ａ  貫通孔
５  振動モータ
６  モータケース
６ａ  取付部
６ｂ  取付孔
７  振動伝達締結部材
８  接着固定部材
９  押え板
１０  押え部
１１  脚部
１２  弾性部材
１３  ビス部材
１４  抜止め部材
１５  防水リング
２０  緩衝部材
【図１】
2014173959.tif 000003
【図２】
2014173959.tif 000004
【図３】
2014173959.tif 000005
【図４】
2014173959.tif 000006
【図５】
2014173959.tif 000007
【図６】
2014173959.tif 000008
【図７】
2014173959.tif 000009